(57)【要約】【課題】ユーザが、個人情報を開示することなく、また、クーポンの入手を意識することなく必要な時点でクーポンを利用すること。【解決手段】配送車両が、クーポンＩＤを付与したクーポン情報を車車間通信でユーザ車両の車載端末に送信し、店舗システムが、ユーザ車両の車載端末にクーポンＩＤを送信し、ユーザ車両の車載端末が、情報配信車両から受信したクーポンＩＤと、店舗システムから受信したクーポンＩＤとを照合してクーポン情報の利用可否を判断する。【選択図】図１
2008191905.tif 000002
【特許請求の範囲】
【請求項１】
情報配信車両は、クーポンＩＤを付与したクーポン情報を車車間通信でユーザ車両の車載端末に送信し、
店舗システムは、ユーザ車両の車載端末にクーポンＩＤを送信し、
前記ユーザ車両の車載端末は、前記情報配信車両から受信したクーポンＩＤと、前記店舗システムから受信したクーポンＩＤとを照合してクーポン情報の利用可否を判断することを特徴とする情報配信システム。
【請求項２】
前記ユーザ車両の車載端末はユーザが予め設定したものおよび入手していないクーポン情報のみを取得することを特徴とする請求項１記載の情報配信システム。
【請求項３】
前記ユーザ車両の車載端末は前記クーポン情報を携帯端末に書き込むことを特徴とする請求項１または２記載の情報配信システム。
【請求項４】
前記クーポン情報に情報配信車両ＩＤを付しておき、
前記店舗システムは、前記クーポン情報を受信したユーザが来店またはクーポン情報を利用したときに前記情報配信車両ＩＤに基づいて前記クーポン情報を配信した前記情報配信車両に対価を与えることを特徴とする請求項１から３のいずれか１項に記載の情報配信システム。
【請求項５】
情報配信車両が、クーポンＩＤを付与したクーポン情報を車車間通信でユーザ車両の車載端末に送信し、
店舗システムが、ユーザ車両の車載端末にクーポンＩＤを送信し、
前記ユーザ車両の車載端末が、前記情報配信車両から受信したクーポンＩＤと、前記店舗システムから受信したクーポンＩＤとを照合してクーポン情報の利用可否を判断することを特徴とする情報配信方法。
【請求項６】
前記ユーザ車両の車載端末がユーザが予め設定したものおよび入手していないクーポン情報のみを取得することを特徴とする請求項５記載の情報配信方法。
【請求項７】
前記ユーザ車両の車載端末が前記クーポン情報を携帯端末に書き込むことを特徴とする請求項５または６記載の情報配信方法。
【請求項８】
前記クーポン情報に情報配信車両ＩＤを付しておき、
前記店舗システムが、前記クーポン情報を受信したユーザが来店またはクーポン情報を利用したときに前記情報配信車両ＩＤに基づいて前記クーポン情報を配信した前記情報配信車両に対価を与えることを特徴とする請求項５から７のいずれか１項に記載の情報配信方法。
【請求項９】
コンピュータシステムに請求項１から４のいずれか１項に記載の機能を実現させることを特徴とするプログラム。
【発明の詳細な説明】
【技術分野】
【０００１】
本発明は、ドライバーまたは同乗者（以下ユーザと明記）に対し、他の車両が持つ広告または特典情報を、ユーザの車両に搭載された車載端末等が受信し提供する技術に関する。
【背景技術】
【０００２】
現状のクーポン配信サービスの方法は主に２通り挙げられる。ユーザが携帯電話機を活用し、クーポンを取得したいサイトへ自らアクセスする方法と、ユーザが携帯電話機、ＰＤＡ等の携帯端末またはＰＣを活用し、事前にクーポンを取得したいサイトに個人情報の入力等を行い登録し、サイト（システム）側から定期的にクーポンを受信する方法である。
【０００３】
ここで、宣伝車両はＤＳＲＣ通信可能な車載器を備え、また、一般車両もＤＳＲＣ通信可能な車載器を備え、宣伝車両は、車載器に会社や商店の宣伝情報のデータを入力可能であり、その入力された宣伝情報のデータをメモリに記憶しており、宣伝車両は、走行しながら車載器により宣伝車両の通信領域内に位置する一般車両の車載器に対して宣伝情報を送信し、車載器及び一般車両の通信領域は、車両の前方に設定されており、宣伝車両と一般車両がすれ違う際に互いに通信を確立し、車載器から車載器へ宣伝情報が送信されることで、狭域無線通信を利用して特定の地域にだけ情報を提供することでローカル性を有し、車両により容易に情報提供可能で利便性を向上させることができる技術が提案されている（例えば、特許文献１参照）。
【特許文献１】特開２００４−２２１６３６号公報
【発明の開示】
【発明が解決しようとする課題】
【０００４】
しかしながら、従来の技術では、ユーザはクーポンをその都度取得する操作をしなければならない問題と、登録時に個人情報を入力し開示しなければならないといった問題がある。
【０００５】
また、店舗側は個人情報に対して厳重に注意しなければならないといった問題がある。
【０００６】
さらに、ユーザは取得したクーポンをいざ利用したいという時に、配信された時期、利用期限、どの店舗のクーポンを取得したのかを覚えておくことが困難であるという問題がある。
【０００７】
本発明は、以上説明した問題点を解決するためになされたものである。その目的は、ユーザが、個人情報を開示することなく、また、クーポンの入手を意識することなく必要な時点でクーポンを利用することができるようにすることである。
【課題を解決するための手段】
【０００８】
本発明は、情報配信車両は、クーポンＩＤを付与したクーポン情報を車車間通信でユーザ車両の車載端末に送信し、
店舗システムは、ユーザ車両の車載端末にクーポンＩＤを送信し、
前記ユーザ車両の車載端末は、前記情報配信車両から受信したクーポンＩＤと、前記店舗システムから受信したクーポンＩＤとを照合してクーポン情報の利用可否を判断する情報配信システムを提供する。
【０００９】
また、本発明は、情報配信車両が、クーポンＩＤを付与したクーポン情報を車車間通信でユーザ車両の車載端末に送信し、
店舗システムが、ユーザ車両の車載端末にクーポンＩＤを送信し、
前記ユーザ車両の車載端末が、前記情報配信車両から受信したクーポンＩＤと、前記店舗システムから受信したクーポンＩＤとを照合してクーポン情報の利用可否を判断する情報配信方法を提供する。
【発明の効果】
【００１０】
本発明によれば、ユーザが、個人情報を開示することなく、また、クーポンの入手を意識することなく必要な時点でクーポンを利用することができるようにすることができる。
【発明を実施するための最良の形態】
【００１１】
以下、本発明の第１の実施の形態について図面を参照して詳細に説明する。なお、車車間通信とは、車両内に通信機能を持つ車載端末を利用し、車両２台以上で近距離無線通信により、情報の送受信を行うものである。
【００１２】
図１を参照すると、本実施の形態における情報配信システムは、センタとしてセンタサーバ１と、センタ通信部２と、ＤＢ３と、店舗システムとして店舗サーバ４と、店舗内通信部５と、店舗表示部６と、ＤＢ７と、配送車両として配送車両車載端末処理部８と、通信部９と、ＤＢ１０と、ユーザ車両としてユーザ車両車載端末処理部１１と、通信部１２と、車載端末表示部１３と、ＤＢ１４から構成されている。
【００１３】
センタは、センタサーバ１と、センタ通信部２と、ＤＢ３から構成される。
【００１４】
センタサーバ１は、各店舗に配信する特典情報（以下、クーポン情報と明記）の送受信を判断し、そのクーポン情報をＤＢ３に記録する。その際、クーポン情報にＩＤ（以下クーポンＩＤと明記）を付与し、センタ通信部２に店舗内通信部５及び通信部９へ送信するよう指示する機能を有する。
【００１５】
センタ通信部２は、店舗内通信部５と社内ＬＡＮ等の広域通信を介し接続し、センタと店舗システム間において情報を送受信する機能と、通信部９と携帯電話網等の広域無線通信を介して接続し、センタと配送車両間において情報を送受信する機能を有する。
ＤＢ３は、センタサーバ１からのクーポン情報及びクーポンＩＤを記録する機能を有する。
【００１６】
店舗システムは、店舗サーバ４と、店舗内通信部５と、店舗表示部６と、ＤＢ７から構成される。
【００１７】
店舗サーバ４は、センタサーバから受信したクーポン情報及びクーポンＩＤをＤＢ７に記録する機能と、店舗内通信部５にクーポン情報及びクーポンＩＤを通信部１２へ送信するよう指示する機能と、店舗表示部６にクーポン情報を表示するよう指示する機能を有する。
【００１８】
店舗内通信部５は、センタ通信部２と社内ＬＡＮ等の広域通信を介し接続し、店舗システムとセンタ間において情報を送受信する機能と、通信部１２と無線ＬＡＮ及びＤＳＲＣ等の狭域無線通信を介し接続し、店舗システムとユーザ車両間において情報を送受信する機能を有する。
【００１９】
店舗表示部６は、店舗サーバ４からクーポン情報表示の指示があった時、表示する機能を有する。
【００２０】
ＤＢ７は、店舗サーバ４からのクーポン情報及びクーポンＩＤを記録する機能を有する。
【００２１】
配送車両は、配送車両車載端末処理部８と、通信部９、ＤＢ１０から構成されている。
【００２２】
配送車両車載端末処理部８は、センタから受信したクーポン情報及びクーポンＩＤをＤＢ１０に記録する機能と、通信部９にクーポン情報及びクーポンＩＤを通信部１２へ送信するよう指示する機能と、ユーザ車両に対してクーポン情報及びクーポンＩＤを送信するか否かの確認及び判断を行う機能を有する。
【００２３】
通信部９は、センタ通信部２と携帯電話網等の広域無線通信を介し接続し、配送車両とセンタ間において情報を送受信する機能と、通信部１２と無線ＬＡＮ等の狭域無線通信を介して接続し、配送車両とユーザ車両間において情報を送受信する機能を有する。
【００２４】
ＤＢ１０は、センタからのクーポン情報及びクーポンＩＤを記録する機能を有する。
【００２５】
ユーザ車両は、ユーザ車両車載端末処理部１１と、通信部１２と、車載端末表示部１３と、ＤＢ１４から構成されている。
【００２６】
ユーザ車両車載端末処理部１１は、配送車両からの情報を受信するか否かを判断する機能と、ＤＢ１４に記録されているクーポンＩＤと受信したクーポンＩＤを照会する機能と、配送車両から受信したクーポン情報及びクーポンＩＤをＤＢ１４に記録する機能と、通信部１２にクーポンＩＤを店舗内通信部５に送信するよう指示する機能と、車載端末表示部１３にクーポン情報を表示するよう指示する機能と、ＤＢ１４に登録されているユーザ嗜好情報等の個人情報から、受信したクーポン情報及びクーポンＩＤを受信するか否かの判断をする機能を有する。また、ユーザ車両車載端末処理部１１は、照会したクーポンＩＤが同じだった場合、そのクーポン情報及びクーポンＩＤは記録しない、と判断するものとする。
【００２７】
通信部１２は、店舗内通信部５と無線ＬＡＮ及びＤＳＲＣ等の狭域無線通信を介して接続し、ユーザ車両と店舗システム間において情報を送受信する機能と、通信部９と無線ＬＡＮ等の狭域無線通信を介し接続し、ユーザ車両と配送車両間において情報を送受信する機能を有する。
【００２８】
車載端末表示部１３は、ユーザ車両車載端末処理部１１からクーポン情報表示の指示があった時、表示する機能を有する。
【００２９】
ＤＢ１４は、配送車両からのクーポン情報及びクーポンＩＤを記録する機能と、個人情報を記録する機能を有する。ここで、個人情報とは、ユーザ車両車載端末処理部１１が、配送車両からの情報を受信する判断するために必要となる情報のことで、性別、ジャンル、年齢、希望エリア等のことである。
【００３０】
次に、図１、図２及び図３を参照して本実施の形態の動作について詳細に説明する。
ここでは、店舗をロードサイド店舗（車両で行くことができる店舗）で利用すると考え、ユーザが車両から降りずに利用することのできる（ドライブスルー）ファーストフード店におけるクーポン情報受信から利用までの流れを例に説明する。
【００３１】
なお、情報を配信する車両と店舗は、同じ系列または会社（例えば、店舗の商品のみを配送している車両）であるものとする。
【００３２】
まず初めに、配送車両からユーザ車両へ情報を送信する前の過程について説明する（図２参照）。
【００３３】
センタでは、センタサーバ１が実施している割引クーポン券（以下クーポン情報と明記）及びＩＤ（以下クーポンＩＤ）をＤＢ３から抽出し、社内ＬＡＮ等で接続し、センタ通信部２と店舗内通信部５を介し店舗サーバ４へ送信する（ステップＡ１）。
【００３４】
同時に、センタサーバ１は、センタ通信部２と携帯電話網等の広域無線通信で接続し、店舗サーバ４へ送信したクーポン情報及びクーポンＩＤと同じ情報を通信部９を介し、配送車両車載端末処理部８へ送信する（ステップＡ２）。
【００３５】
次に、配送車両からユーザ車両へ情報を送信する過程について説明する。
【００３６】
店舗システムでは、店舗サーバ４が、センタから受信したクーポン情報及びクーポンＩＤをＤＢ７に記録する（ステップＡ３）。
【００３７】
配送車両では、配送車両車載端末処理部８が、センタから受信したクーポン情報及びクーポンＩＤをＤＢ１０に記録する（ステップＡ４）。
【００３８】
配送車両車載端末処理部８は、クーポン情報及びクーポンＩＤを無線ＬＡＮ等の狭域無線通信で接続し、通信部９及び通信部１２を介し、ユーザ車両車載端末処理部１１へ送信する（ステップＡ５）。
【００３９】
ユーザ車両では、ユーザ車両車載端末処理部１１が、配送車両から受信したクーポン情報及びクーポンＩＤを受信し、受信したクーポン情報がＤＢ１４に登録している個人情報に合致した情報であるかを判断し（ステップＡ６）、受信したクーポンＩＤが既にＤＢ１４に記録されているものかを確認し、記録されていない場合はＤＢ１４に記録する（ステップＡ７）。ここでは個人情報と合致したクーポン情報を受信するものとする。
【００４０】
これにより、ユーザは運転中に情報の送受信を意識することなく、且つ運転に支障がない状態で、配送車両から情報を受信することができる。また、ここでは配送車両を例にとって説明しているが、他には路線バス、物流車両等の車両も情報配信の移動体として考えられる。
【００４１】
次に、取得したクーポンを利用する過程について説明する（図３参照）。
【００４２】
ユーザ車両がファーストフード店に入店した際、店舗内サーバ４は、現在実施している割引サービスのクーポンＩＤを、入店してきたユーザ車両に対し、無線ＬＡＮ及びＤＳＲＣ等の狭域無線通信を接続し、ファーストフード店入口に設置された店舗内通信部５と通信部１２を介し、ユーザ車両車載端末処理部１１に送信する（ステップＡ８）。
【００４３】
ユーザ車両車載端末処理部１１は、受信したクーポンＩＤとＤＢ１４に記録されているクーポンＩＤを照会し（ステップＡ９）、受信されたクーポンＩＤがＤＢ１４に記録されていたら、クーポン取得情報を店舗サーバ４へ送信する（ステップＡ１０）。
【００４４】
店舗システムでは、受信したクーポン取得情報から、店舗サーバ４がクーポン利用と判断し、店舗表示部６にクーポン情報表示の指示する（ステップＡ１１）。
【００４５】
ファーストフード店の店員は、クーポン情報が表示された店舗表示部６を確認し、ユーザに対し、クーポンを取得し利用可能である旨を告げサービスを提供し、ユーザはサービスを受けることができる。
【００４６】
ここでは、店舗システムからユーザ車両に対してクーポンＩＤを送信し、ユーザ車両のユーザ車両車載端末処理部１１がクーポン情報の取得の有無を判断しているが、店舗システム側でユーザ車両がクーポン情報を取得している否かを確認することも考えられる。その場合、ユーザ車両車載端末処理部１１が店舗サーバ４へ取得しているクーポンＩＤを送信する。この時、ユーザ車両が取得しているクーポンＩＤを全て送信することとなる。クーポンＩＤを受信した店舗システムでは、店舗が配布しているクーポンＩＤがあった場合、現在実施ししているクーポンＩＤと照会し、ユーザ車両からのクーポンＩＤが合致していれば、店舗サーバ４は店舗表示部６にクーポン情報の表示を指示する。これにより、ファーストフード店の店員はユーザに対しサービスを提供し、ユーザはサービスを受けることができる。
【００４７】
以上のように本実施の形態によれば、ユーザは携帯電話機やＰＤＡ、車載端末を操作することなく走行中にクーポン情報を取得することができる。また、受信したい広告またはクーポンの登録を車載端末で行うことにより、ユーザは店舗側に個人情報を開示する必要がなく、店舗側は個人情報を扱うことなく、店舗にとって集客効果となる情報を提供することができる。また、車載端末と店舗システムが通信を介し、車載端末が受信し記録したクーポン情報を確認することで、ユーザは取得したクーポンの利用時期、利用可能店舗を明確に覚えていなくても、店舗に入場した際にクーポンが利用可能である旨を通知されるため、確実に利用することが可能になる。クーポンは、車載端末に記録されるため、その車両のドライバーまたは同乗者（ユーザ）であれば利用することができる。
【００４８】
店舗側は、クーポンを取得しているユーザに対し、スムーズにサービスを提供することができ、広告及びサービス提供の範囲を広げることができる。
【００４９】
また、車両（車載端末）を情報送受信に活用することで、ユーザは走行エリアのクーポン情報及び広告等を取得することができ、店舗側は地域に密着した情報を提供することができる。
【００５０】
次に、本発明の第２の実施例について、図４を参照して詳細に説明する。
【００５１】
本実施の形態では、店舗をロードサイド店舗（車両で行くことができる店舗）で利用すると考え、スーパーマーケットにおける、ユーザが車両から降りて利用する例について説明する。
【００５２】
図４を参照すると、本実施の形態における情報配信システムは、センタとしてセンタサーバ１と、センタ通信部２と、ＤＢ３と、店舗システムとして店舗サーバ４と、店舗内通信部５と、店舗表示部６と、ＤＢ７と、配送車両として配送車両車載端末処理部８と、通信部９と、ＤＢ１０と、ユーザ車両としてユーザ車両車載端末処理部１１と、通信部１２と、車載端末表示部１３と、ＤＢ１４と、リーダ／ライタ１５と、携帯端末１６から構成されている。
【００５３】
図１との違いは、リーダ／ライタ１５と、携帯端末１６の追加である。１〜１４の機能は、上記の第１の実施の形態と同様であるので重複する説明は省略する。
【００５４】
リーダ／ライタ１５は、携帯電話機に情報を読み書きする機能を有する。
【００５５】
携帯端末１６は、携帯電話機、ＰＤＡ等のことであり、携帯電話網等の広域無線通信及び赤外線通信、Bluetooth、Felica等の近距離無線通信の機能を有する。
【００５６】
図４及び図５を参照して本実施の形態の動作について以下に説明する。
配送車両からユーザ車両へ情報を送信する前の過程及び配送車両からユーザ車両へ情報を送信する過程については、上記の第１の実施の形態の動作の説明と同様である。
【００５７】
上記の第１の実施の形態と異なる取得したクーポンを利用する過程について説明する。
ユーザ車両がスーパーマーケットに入店した際、店舗サーバ４は、現在実施している割引サービスのクーポン情報を、入店してきたユーザ車両に対し、無線ＬＡＮ及びＤＳＲＣ等の狭域無線通信を接続し、スーパーマーケット店入口に設置された店舗内通信部５と通信部１２を介し、クーポンＩＤをユーザ車両車載端末処理部１１に送信する（ステップＢ１）。
【００５８】
ユーザ車両車載端末処理部１１は、受信したクーポンＩＤとＤＢ１４に記録されているクーポンＩＤを照会し、受信されたクーポンＩＤがＤＢ１４に記録されていたら、車載端末表示部１３にクーポン情報の表示を指示し、音声と共にユーザにクーポンを取得していることを知らせる（ステップＢ２）。
【００５９】
ユーザはリーダ／ライタ１５に携帯端末を置いておく。この時ユーザ車両車載端末処理部１１は、リーダ／ライタに携帯端末１６が接触していることを感知し（ステップＢ３）、車載端末表示部１３に表示しているクーポン情報を携帯端末１６に書き込むよう、リーダ／ライタ１５に指示する（ステップＢ４）。
【００６０】
クーポンを携帯端末１６に移行したユーザは、その画面を店員に見せるか、もしくは店舗内のＰＯＳと連動して、クーポンを使用する。
ここで、ユーザ車両車載端末処理部１１と携帯端末１６は、リーダ／ライタ１５を活用してクーポン情報の移行を行っているが、赤外線通信またはBluetoothの通信を介して移行することも考えられる。その場合、車載端末にこれらの通信機能が対応していることが必要となる。
【００６１】
以上のように本実施の形態によれば、車載端末からユーザの携帯端末にクーポンを移行することで、クーポンを受信した端末でなくてもクーポンを利用することができる。
【００６２】
次に、本発明の第３の実施の形態について、図面を参照して詳細に説明する。
ここでは、店舗をロードサイド店舗（車両で行くことができる店舗）で利用すると考え、ユーザが車両から降りずに利用することのできる（ドライブスルー）ファーストフード店におけるクーポン情報受信から利用までの流れを例に説明する。
【００６３】
ここでは、情報を配信する車両と店舗は、異なる系列または異なる会社（例えば、その店舗以外の商品を配送している車両やバス等の公共機関の車両等）であるものとし、情報を配信する配送車両（配信者）は、ユーザが配送車両からのクーポン情報を受信したことにより店舗を来店あるいはクーポンを利用した際に、対価を得られることとする。
【００６４】
図１を参照すると、本実施の形態における情報配信システムは、センタとしてセンタサーバ１と、センタ通信部２と、ＤＢ３と、店舗システムとして店舗サーバ４と、店舗内通信部５と、店舗表示部６と、ＤＢ７と、配送車両として配送車両車載端末処理部８と、通信部９と、ＤＢ１０と、ユーザ車両としてユーザ車両車載端末処理部１１と、通信部１２と、車載端末表示部１３と、ＤＢ１４から構成されている。
【００６５】
センタは、センタサーバ１と、センタ通信部２と、ＤＢ３から構成される。
【００６６】
センタサーバ１は、各店舗に配信する特典情報（以下、クーポン情報と明記）の送受信を判断し、そのクーポン情報をＤＢ３に記録する。その際、クーポン情報にＩＤ（以下、クーポンＩＤと明記）とクーポン情報を配信する車両のＩＤ（以下、車両ＩＤと明記）を付与し、センタ通信部２に店舗内通信部５及び通信部９へ送信するよう指示する機能を有する。
【００６７】
センタ通信部２は、店舗内通信部５と社内ＬＡＮ等の広域通信を介し接続し、センタと店舗システム間において情報を送受信する機能と、通信部９と携帯電話網等の広域無線通信を介し接続し、センタと配送車両間において情報を送受信する機能を有する。
【００６８】
ＤＢ３は、センタサーバ１からのクーポン情報及びクーポンＩＤ、配送車両ＩＤを記録する機能を有する。
【００６９】
店舗システムは、店舗サーバ４と、店舗内通信部５と、店舗表示部６と、ＤＢ７から構成される。
【００７０】
店舗サーバ４は、センタサーバから受信したクーポン情報及びクーポンＩＤ、配送車両ＩＤをＤＢ７に記録する機能と、店舗内通信部５にクーポン情報及びクーポンＩＤを通信部１２へ送信するよう指示する機能と、店舗表示部６にクーポン情報を表示するよう指示する機能を有する。
【００７１】
店舗内通信部５は、センタ通信部２と社内ＬＡＮ等の広域通信を介し接続し、店舗システムとセンタ間において情報を送受信する機能と、通信部９と携帯電話網等の広域無線通信を介し接続し、店舗システムと配送車両間において情報を送受信する機能と、通信部１２と無線ＬＡＮ及びＤＳＲＣ等の狭域無線通信を介して接続し、店舗システムとユーザ車両間において情報を送受信する機能を有する。
【００７２】
店舗表示部６は、店舗サーバ４からクーポン情報表示の指示があった時、表示する機能を有する。
【００７３】
ＤＢ７は、店舗サーバ４からのクーポン情報及びクーポンＩＤ、配送車両ＩＤを記録する機能を有する。
【００７４】
配送車両は、配送車両車載端末処理部８と、通信部９、ＤＢ１０から構成されている。
【００７５】
配送車両車載端末処理部８は、センタから受信したクーポン情報及びクーポンＩＤ、配送車両ＩＤをＤＢ１０に記録する機能と、通信部９にクーポン情報及びクーポンＩＤ、配送車両ＩＤを通信部１２へ送信するよう指示する機能と、ユーザ車両に対してクーポン情報及びクーポンＩＤ、配送車両ＩＤを送信するか否かの確認及び判断を行う機能を有する。
【００７６】
通信部９は、センタ通信部２と携帯電話網等の広域無線通信を介して接続し、配送車両とセンタ間において情報を送受信する機能と、店舗内通信部５と携帯電話網等の広域無線通信を介し接続し、配送車両と店舗システム間において情報を送受信する機能と、通信部１２と無線ＬＡＮ等の狭域無線通信を介し接続し、配送車両とユーザ車両間において情報を送受信する機能を有する。
【００７７】
ＤＢ１０は、センタからのクーポン情報及びクーポンＩＤ、配送車両ＩＤを記録する機能を有する。
【００７８】
ユーザ車両は、ユーザ車両車載端末処理部１１と、通信部１２と、車載端末表示部１３と、ＤＢ１４から構成されている。
【００７９】
ユーザ車両車載端末処理部１１は、配送車両からの情報を受信するか否かを判断する機能と、ＤＢ１４に記録されているクーポンＩＤと受信したクーポンＩＤを照会する機能と、配送車両から受信したクーポン情報及びクーポンＩＤ、配送車両ＩＤをＤＢ１４に記録する機能と、通信部１２にクーポンＩＤ及び配送車両ＩＤを店舗内通信部５に送信するよう指示する機能と、車載端末表示部１３にクーポン情報を表示するよう指示する機能を有する。ここでユーザ車両車載端末処理部１１は、ＤＢ１４に登録されているユーザ嗜好情報等の個人情報から、受信したクーポン情報及びクーポンＩＤを受信するか否かの判断をする機能を有する。また、ユーザ車両車載端末処理部１１は、照会したクーポンＩＤが同じだった場合、そのクーポン情報及びクーポンＩＤは記録しない、と判断するものとする。
【００８０】
通信部１２は、店舗内通信部５と無線ＬＡＮ及びＤＳＲＣ等の狭域無線通信を介し接続し、ユーザ車両と店舗システム間において情報を送受信する機能と、通信部９と無線ＬＡＮ等の狭域無線通信を介し接続し、ユーザ車両と配送車両間において情報を送受信する機能を有する。
【００８１】
車載端末表示部１３は、ユーザ車両車載端末処理部１１からクーポン情報表示の指示があった時、表示する機能を有する。
【００８２】
ＤＢ１４は、配送車両からのクーポン情報及びクーポンＩＤ、配送車両ＩＤを記録する機能と、個人情報を記録する機能を有する。ここで、個人情報とは、ユーザ車両車載端末処理部１１が、配送車両からの情報を受信する判断するために必要となる情報のことで、性別、ジャンル、年齢、希望エリア等のことである。
【００８３】
図１、図６、図７および図８を参照して本実施の形態の動作について詳細に説明する。
【００８４】
図２及び図３に示す第１の実施の形態との違いは、クーポン情報及びクーポンＩＤに、配送車両ＩＤを付与することにより、これらの情報を配信する配送車両（配信者）に対し対価を与え、店舗側、配信者、ユーザの三者全てにメリットを見出せる点である。
【００８５】
まず初めに、配送車両からユーザ車両へ情報を送信する前の過程について説明する（図６参照）。
【００８６】
センタでは、センタサーバ１が実施している割引クーポン券（以下、クーポン情報と明記）及びＩＤ（以下、クーポンＩＤ）、配送車両ＩＤをＤＢ３から抽出し、社内ＬＡＮ等で接続し、センタ通信部２と店舗内通信部５を介し店舗サーバ４へ送信する（ステップＣ１）。
【００８７】
同時に、センタサーバ１は、センタ通信部２と携帯電話網等の広域無線通信で接続し、店舗サーバ４へ送信したクーポン情報及びクーポンＩＤ、配送車両ＩＤと同じ情報を通信部９を介し、配送車両車載端末処理部８へ送信する（ステップＣ２）。
【００８８】
次に、配送車両からユーザ車両へ情報を送信する過程について説明する。
【００８９】
店舗システムでは、店舗サーバ４が、センタから受信したクーポン情報及びクーポンＩＤ、配送車両ＩＤをＤＢ７に記録する（ステップＣ３）。
【００９０】
配送車両では、配送車両車載端末処理部８が、センタから受信したクーポン情報及びクーポンＩＤ、配送車両ＩＤをＤＢ１０に記録する（ステップＣ４）。
【００９１】
配送車両車載端末処理部８は、クーポン情報及びクーポンＩＤ、配送車両ＩＤを無線ＬＡＮ等の狭域無線通信で接続し、通信部９及び通信部１２を介し、ユーザ車両車載端末処理部１１へ送信する（ステップＣ５）。
【００９２】
ユーザ車両では、ユーザ車両車載端末処理部１１が、配送車両から受信したクーポン情報及びクーポンＩＤ、配送車両ＩＤを受信し、受信したクーポン情報がＤＢ１４に登録している個人情報に合致した情報であるかを判断し（ステップＣ６）、受信したクーポンＩＤが既にＤＢ１４に記録されているものかを確認し、記録されていない場合はＤＢ１４に記録する（ステップＣ７）。ここでは個人情報と合致したクーポン情報を受信するものとする。
【００９３】
なお、ここでは、センタから配送車両ＩＤが抽出されているが、配送車両（車載端末）側で配送車両ＩＤを付与することも考えられる。その場合、配送車両の車載端末に付与されているＩＤを配送車両ＩＤとし、ユーザ車両へクーポン情報及びクーポンＩＤを送信する際に、配送車両ＩＤを付与することとなる。
【００９４】
次に、取得したクーポンを利用する過程について説明する（図７、図８参照）。
【００９５】
ユーザ車両がファーストフード店に入店した際、店舗内サーバ４は、現在対象としている割引サービスのクーポンＩＤを、入店してきたユーザ車両に対し、無線ＬＡＮ及びＤＳＲＣ等の狭域無線通信を接続し、ファーストフード店入口に設置された店舗内通信部５と通信部１２を介し、ユーザ車両車載端末処理部１１に送信する（ステップＣ８）。
【００９６】
ユーザ車両車載端末処理部１１は、受信したクーポンＩＤとＤＢ１４に記録されているクーポンＩＤを照会し（ステップＣ９）、受信されたクーポンＩＤがＤＢ１４に記録されていたら、クーポン取得情報及び配送車両ＩＤを店舗サーバ４へ送信する（ステップＣ１０）。
【００９７】
店舗システムでは、受信したクーポン取得情報から、店舗サーバ４がクーポン利用と判断し、店舗表示部６にクーポン情報表示の指示する（ステップＣ１１）。
【００９８】
それと同時に、店舗サーバ４は、受信した配送車両ＩＤをＤＢ７に記録し（ステップＣ１２）、センタへ配送車両ＩＤを送信する（ステップＣ１３）。
【００９９】
これにより、ファーストフード店の店員は、クーポン情報が表示された店舗表示部６を確認し、ユーザに対しクーポンを取得し利用可能である旨を告げサービスを提供し、ユーザはサービスを受けることができる。
【０１００】
センタでは、配送車両ＩＤを受信したセンタサーバ４が、クーポン利用があったクーポンＩＤ及び配送車両ＩＤをＤＢ３に記録する（ステップＣ１４）。
【０１０１】
配信者は、自分の車両が配信したクーポンＩＤが利用されたことを評価される。これにより、配送者は利用者数または来店者数に応じ、店舗側から対価を得ることが可能となる。
【０１０２】
ここでは、店舗システムからユーザ車両に対してクーポンＩＤを送信し、ユーザ車両のユーザ車両車載端末処理部１１がクーポン情報の取得の有無を判断しているが、店舗システム側でユーザ車両がクーポン情報を取得している否かを確認することも考えられる。その場合、ユーザ車両車載端末処理部１１が店舗サーバ４へ取得しているクーポンＩＤを送信する。この時、ユーザ車両が取得しているクーポンＩＤを全て送信することとなる。クーポンＩＤを受信した店舗システムでは、店舗が配布しているクーポンＩＤがあった場合、現在実施ししているクーポンＩＤと照会し、ユーザ車両からのクーポンＩＤが合致していれば、店舗サーバ４は店舗表示部６にクーポン情報の表示を指示する。
【０１０３】
これにより、ファーストフード店の店員はユーザに対しサービスを提供し、ユーザはサービスを受けることができる。また、クーポン情報表示の指示と同時に、店舗サーバ４は、ユーザ車両に対し、配送車両ＩＤを送信するよう要求する。ユーザ車両車載端末処理部１１は、店舗サーバ４からの要求に対し、配送車両ＩＤを送信する。これにより、どの配送車両がこのユーザにクーポン情報を配信したかを把握することができる。
【０１０４】
配送車両が、どれくらいのユーザを集客させたかを記録する場所として、ＤＢ３、ＤＢ７、ＤＢ１０が考えられる。ユーザの集客数により、配送者に対して対価を与えることを考えると、センタで管理するのが妥当であるが、店舗システムまたは配送車両で管理することもできる。
【０１０５】
以上のように本実施の形態によれば、情報を配信する配送車両は（車載端末を搭載しているもの）、情報を配信している店舗に関係する系列に所属していなくとも、宅配便車両、物流車両、バス等の公共機関の車両等の関連のない系列だとしても、対価を得ることでユーザ車両に対し配信するメリットが見出すことができる。
【０１０６】
なお、上述する実施の形態は、本発明の好適な実施の形態であり、本発明の要旨を逸脱しない範囲内において種々変更実施が可能である。例えば、センタサーバ１、店舗サーバ４、配送車両車載端末、ユーザ車両車載端末、携帯端末の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【０１０７】
【図１】本発明の第１の実施の形態のシステム構成を示す構成図である。
【図２】本発明の第１の実施の形態の処理動作を示す図である。
【図３】本発明の第１の実施の形態の処理動作を示す図である。
【図４】本発明の第２の実施の形態のシステム構成を示す構成図である。
【図５】本発明の第２の実施の形態の処理動作を示す図である。
【図６】本発明の第３の実施の形態の処理動作を示す図である。
【図７】本発明の第３の実施の形態の処理動作を示す図である。
【図８】本発明の第３の実施の形態の処理動作を示す図である。
【符号の説明】
【０１０８】
１    センタサーバ
２    センタ通信部
３、７、１０、１４    ＤＢ
４    店舗サーバ
５    店舗内通信部
６    店舗表示部
８    配送車両車載端末処理部
９、１２    通信部
１０    単純置換コストの算出手段
１１    ユーザ車両車載端末処理部
１２    サーバスペックデータ部
１３    車載端末表示部
【図１】
2008191905.tif 000003
【図２】
2008191905.tif 000004
【図３】
2008191905.tif 000005
【図４】
2008191905.tif 000006
【図５】
2008191905.tif 000007
【図６】
2008191905.tif 000008
【図７】
2008191905.tif 000009
【図８】
2008191905.tif 000010